(57)【要約】【課題】電気機器収納用箱体へのベース板の取り付け作業を容易とする上、ベース板に取付部を設ける必要がなく、電気機器搭載側のスペースのより有効な利用を可能としたベース板の取付構造を提供する。【解決手段】挿通孔へ挿通されて抜け止めを図る抜け止め板２１と、背板への取付状態における取付具３の自由な回転を抑制するクリック板２２と、ベース板の表面を押さるようにして背板からの脱落を防止する押さえ板２３とからなる取付具３を用い、凹部内へベース板をセットした後、取付具３を回転操作して、左右いずれかの押さえ部３１、３２をベース板前方に突出する押さえ姿勢とすることにより、該押さえ部３１、３２により表面側から押さえるようにしてベース板の背板から前方への動きを抑止するようにした。【選択図】図３
2008011603.tif 000002
【特許請求の範囲】
【請求項１】
各種電気機器を収納するための電気機器収納用箱体において、前記電気機器が搭載されるベース板を、前記電気機器収納用箱体の背板前方に取り付けるためのベース板の取付構造であって、
前記背板に、前記ベース板が嵌り込む凹部を設けるとともに、該凹部の側方に、一体的に設けられた押さえ部により前記ベース板の前記凹部から前方への動きを抑止するベース板取付手段を回転可能に設け、
前記凹部内に前記ベース板をセットした状態で、前記ベース板取付手段を回転操作することにより、前記押さえ部を前記ベース板前方へ突出させて、前記ベース板の前記前方への動きを抑止可能としたことを特徴とするベース板の取付構造。
【請求項２】
背板に穿設した挿通孔に挿通させて、前記背板の裏側に位置する抜け止め部により、ベース板取付手段を前記背板へ取付可能としたことを特徴とする請求項１に記載のベース板の取付構造。
【請求項３】
ベース板取付手段に、挿通孔縁部への弾性的な接触によって前記ベース板取付手段の回転に抵抗を与えるクリック手段を備えたことを特徴とする請求項２に記載のベース板の取付構造。
【発明の詳細な説明】
【技術分野】
【０００１】
本発明は、たとえば分電盤等といった電気機器収納用箱体において電気機器を搭載するためのベース板を取り付けるための取付構造に関するものである。
【背景技術】
【０００２】
従来より、たとえば分電盤等といった電気機器収納用箱体においてベース板を取り付ける取付構造として、様々な態様の取付構造が考案されており、たとえば特許文献１に開示されているようなものがある。
【特許文献１】特開平９−２７８０７８号公報
【０００３】
また、より一般的なベース板の取付構造としては、図５に示したような取付構造が知られている。以下、図５に示したベース板５１の取付構造について説明する。
５０は、電気機器収納用箱体の本体であって、その背板５２には、ベース板５１を取り付けるための取付金具５３が溶接等により固着されている。該取付金具５３には、係止孔５４が設けられており、該係止孔５４にボルト５５の頭部を嵌入させることにより、ボルト５５を起立状態にて係止可能となっている。また、５６は、ボルト５５を起立状態で固定するためのボルトサポーターである。一方、ベース板５１の隅部には、ボルト５５の軸部を挿通可能な挿通孔５８が穿設されている。
そして、ボルトサポーター５６により取付金具５３に起立状態で固定されたボルト５５の軸部へ、高さ調節用ナット５７を設置した後、ベース板５１の挿通孔５８を挿通させ、さらにワッシャ付きナット５９を締め付け固定することにより、ベース板５１を本体５０に取り付けるようにしていた。
【発明の開示】
【発明が解決しようとする課題】
【０００４】
しかしながら、上記従来のベース板５１の取付構造によると、ベース板５１の隅部に挿通孔５８等といった取付部を設けなければならないため、該取付部がベース板５１への電気機器の搭載の邪魔となってい、ベース板５１における電気機器搭載の設計自由度が乏しくなり、汎用性に乏しくなるという問題がある。また、ベース板５１を、ワッシャ付きナット５９により締め付け固定して本体５０へ取り付ける構造となっているため、ベース板５１の着脱に際して工具が必要となる。したがって、ベース板５１の着脱作業が煩わしいという問題もある。さらに、本体５０の背板５２に、ボルト５５を起立状態で固定するための取付金具５３を設置しなければならず、取付金具５３の背板５２への設置にも手間がかかるという問題を抱えていた。
【０００５】
そこで、本発明は、上記問題を解決すべくなされたものであって、電気機器収納用箱体へのベース板の取り付け作業を容易とする上、ベース板に取付部を設ける必要がなく、電気機器搭載側のスペースのより有効な利用を可能としたベース板の取付構造を提供しようとするものである。
【課題を解決するための手段】
【０００６】
上記目的を達成するために、本発明のうち請求項１に記載の発明は、各種電気機器を収納するための電気機器収納用箱体において、前記電気機器が搭載されるベース板を、前記電気機器収納用箱体の背板前方に取り付けるためのベース板の取付構造であって、前記背板に、前記ベース板が嵌り込む凹部を設けるとともに、該凹部の側方に、一体的に設けられた押さえ部により前記ベース板の前記凹部から前方への動きを抑止するベース板取付手段を回転可能に設け、前記凹部内に前記ベース板をセットした状態で、前記ベース板取付手段を回転操作することにより、前記押さえ部を前記ベース板前方へ突出させて、前記ベース板の前記前方への動きを抑止可能としたことを特徴とする。
請求項２に記載の発明は、請求項１に記載の発明において、背板に穿設した挿通孔に挿通させて前記背板の裏側に位置させる抜け止め部により、ベース板取付手段を前記背板へ取付可能としたことを特徴とする。
請求項３に記載の発明は、請求項２に記載の発明において、ベース板取付手段に、挿通孔縁部への弾性的な接触によって前記ベース板取付手段の回転に抵抗を与えるクリック手段を備えたことを特徴とする。
【発明の効果】
【０００７】
本発明によれば、電気機器を搭載するためのベース板を、背板の凹部に嵌め込むとともに、ベース板取付手段に備えられた押さえ部により押さえつけるようにして、凹部から前方への動きを抑止する。そのため、従来の如くベース板に取付用の孔等といった取付部を設ける必要がない。したがって、ベース板の製造コストを低く抑えることができる。さらに、ベース板前方のより広いスペースを電気機器搭載のためのスペースとして活用することができるため、電気機器を搭載するにあたっての設計自由度が増し、汎用性に富む。
また、ベース板取付手段の回転操作により、押さえ部を凹部にセットされているベース板前方へ突出させて、ベース板の動きを抑止可能としている。このように、ベース板取付手段の回転操作のみによって、ベース板の取り付けを行うことができるため、ベース板の取付作業の簡易化を図ることができ、使い勝手が良い。尚、背板に設けた凹部によって、ベース板の左右方向への移動を抑止することができる。
さらに、請求項２に記載の発明によれば、背板に穿設した挿通孔に挿通させて背板の裏側に位置させる抜け止め部により、ベース板取付手段を背板へ取付可能としており、背板とベース板取付手段とを別体に有する構成としている。したがって、背板に施すベース板の取付構造にかかる加工としては、挿通孔や凹部を設ける加工のみでよい。すなわち、従来のように複数の取付金具を一々溶接しなければならないといったことがなく、容易に背板を製造することができ、製造コストの低下を図ることができる。
加えて、請求項３に記載の発明によれば、ベース板取付手段に、挿通孔縁部への弾性的な接触によって自身の回転を抑制するクリック手段を備えている。したがって、ベース板の取付状態において、ベース板取付手段が不用意に回転してしまい、ベース板を脱落させてしまうといった事態の発生を防止することができる。
【発明を実施するための最良の形態】
【０００８】
以下、本発明の一実施形態となる電気機器収納用箱体におけるベース板の取付構造について、図面をもとに説明する。
図１は、ベース板２を取り付けた状態における電気機器収納用箱体の本体１を示した斜視説明図であり、図２は、ベース板２を取り外した状態にある本体１の斜視説明図である。また、図３（ａ）は、本体１にベース板２を取り付けるための取付具３を示した分解斜視図であり、（ｂ）は、組み立て状態にある取付具３を示した斜視説明図である。さらに、図４は、取付具３を用いてベース板２を取り付ける様子を示した説明図である。
【０００９】
１は、各種電気機器を収納するための箱体の本体であって、天板４、底板５、及び背板６をコ字状に組み立ててなるものである。そして、電気機器収納用箱体は、該本体１に、左右側面の開口を夫々開閉する左扉及び右扉（図示せず）と、前面の開口を開閉する前扉（図示せず）とを設置して形成される。
【００１０】
また、背板６には、４つの取付具（ベース板取付手段）３、３・・によって各種電気機器を搭載するためのベース板２が取り付け可能となっている。ここで、背板６へのベース板２の取付構造について説明する。
背板６の中央部には、ベース板２の左右幅と略同じ左右幅を有して、ベース板２をはめ込み可能とした凹部７が設けられている。該凹部７内の左右両側部には、背板６表面からの凹み深さがベース板２の厚さと略同じとなるような当接段部８、８が設けられている。また、背板６の左右両側部の上方及び下方位置で、凹部７の両側方には、それぞれ後述の如き取付具３を取り付けるための挿通孔９が穿設されている。各挿通孔９には、複数の突片１０ａ、１０ｂ、１０ｂ、１０ｂが周縁部から中心方向へ突設されており、一の突片１０ａは、他の突片１０ｂ、１０ｂ・・よりも周方向での長さが長く設けられている。尚、突片１０ａ及び突片１０ｂの径方向への突出長さは、略同じとなっている。
【００１１】
一方、背板６にベース板２を取り付けるための取付具３は、挿通孔９へ挿通されて背板６の後方に位置することにより取付具３の背板６からの抜け止めを図る抜け止め板２１と、背板６への取付状態における取付具３の回転を抑制するクリック板２２と、ベース板２表面を押さえるようにして背板６からの脱落を防止する押さえ板２３とからなる。
抜け止め板２１は、挿通孔９と略同じ形状を有する円板状の部材であって、周縁部には、複数の切り欠き２５ａ、２５ｂ、２５ｂ、２５ｂが刻設されている。一の切り欠き２５ａは、挿通孔９の突片１０ａに対応した長さとなっており、他の切り欠き２５ｂ、２５ｂ・・よりも周方向の長さが長く設けられている。そして、該切り欠き２５ａ、２５ｂ・・は、挿通孔９の突片１０ａ、１０ｂ・・に対応する間隔で設けられている。尚、２６は、押さえ板２３の後面側へ装着する際に、押さえ板２３の後面に突設された凸部２９を差し込むための差込孔であり、抜け止め板２１の略中心に穿設されている。
【００１２】
クリック板２２は、弾性を有する複数の凸条体２７、２７・・を放射方向へ一体的に設けてなるものであって、中心から各凸条体２７の先端までの長さ（径）が、挿通孔９の中心から突片１０ａ、１０ｂ・・の先端までの長さ（径）よりも若干長くなるように成形されている。また、該クリック板２２の厚みは、背板６の厚みと略同様に成形されている。さらに、クリック板２２の中心部には、上記差込孔２６と同形状の差込孔２８が穿設されている。
押さえ板２３は、上記抜け止め板２１やクリック板２２よりも厚みを有する板状部材であって、正三角形の頂角部をカットした台形状に形成されており、底辺側の両角部（左右角部）３１、３２は、ベース板２の前面を押さえるための押さえ部として機能する。また、その後面の略中心から後方へ向かって、差込孔２６、２８に差し込み可能な凸部２９が突設されている。
【００１３】
取付具３は、上記押さえ板２３の凸部２９へ、クリック板２２、抜け止め板２１の順で装着することにより、一体的に回転可能に組み立てられる。そして、図４に示す如く、挿通孔９の突片１０ａと抜け止め板２１の切り欠き２５ａとを合わせる姿勢で、抜け止め板２１を挿通孔９へ挿通させた後、凸部２９を中心として回転操作することにより、背板６の後方に位置する抜け止め板２１が抜け止めとなって、不用意な脱落が防止された状態で背板６へ取り付けられる。また、取付具３の背板６への取付状態における回転では、クリック板２２の凸条体２７、２７・・と、突片１０ａ、１０ｂ・・との弾性的な接触によりクリック作用が生じ、該回転に抵抗が与えられる。したがって、取付具３は、背板６への取付状態において、自由な回転が抑制された状態となっている。さらに、取付具３を、背板６への取付状態にて回転操作することにより、押さえ板２３の押さえ部３１、３２を凹部７前方へ突出させることができる（以下、いずれか一方の押さえ部３１、３２が凹部７前方へ突出する姿勢を押さえ姿勢と称す）。尚、突片１０ａと切り欠き２５ａとを合わせた際の姿勢、すなわち取付具３を背板６へ取り付ける際の取付姿勢が上記押さえ姿勢とならないように、突片１０ａ及び切り欠き２５ａはそれぞれ適宜位置に設けられている（図４では、カットされている側を凹部７側へ向けた状態で取り付けを行う様子を示す）。
【００１４】
ここで、上述したような取付具３、３・・を用いてベース板２を背板６に取り付ける方法について説明する。
まず、上述の如くして取付具３、３・・の抜け止め板２１を挿通孔９に挿通させた後に回転させて抜け止めし、取付具３、３・・を背板６に取り付ける。この時、押さえ板２３の押さえ部３１、３２が凹部７前方に突出しないような姿勢としておく（すなわち、押さえ姿勢とはしない）。
次に、凹部７内へベース板２をセットする。ベース板２と凹部７とは略同じ左右幅に設けられており、且つ、凹部７内の左右側部には当接段部８、８が設けられているため、ベース板２は、その左右両縁を当接段部８、８に当接させた状態で凹部７内にセットされることになる。また、各当接段部８の凹み深さは、ベース板２の厚さと略同様となっているため、セット状態において背板６とベース板２とは略面一となる。
そして、取付具３、３・・を回転操作して、左右いずれかの押さえ部３１、３２が凹部７前方、すなわちベース板２前方に突出する押さえ姿勢とすれば、該押さえ部３１、３２により表面側から押さえるようにしてベース板２を背板６に取り付けることができる。尚、ベース板２の上下は、天板４及び底板５にて支持されるものとする。
以上のようにして、ベース板２の背板６への取り付けは行われる。一方、ベース板２を取り外したい際には、取付具３、３・・を回転操作して、押さえ部３１、３２がベース板２前方へ突出しない姿勢へ戻せばよい。
【００１５】
以上のようなベース板２の取付構造によれば、取付具３によりベース板２を押さえるようにして背板６に取り付けるため、従来の如くベース板２に取付用の孔等といった取付部を設ける必要がない。したがって、ベース板２の製造コストを低く抑えることができる。さらに、ベース板２前面のより広いスペースを電気機器搭載のためのスペースとして活用することができるため、電気機器を搭載するにあたっての設計自由度が増し、汎用性に富む。
【００１６】
また、押さえ板２３にベース板２を押さえるための押さえ部３１、３２を設けており、取付具３の回転操作によって、押さえ部３１、３２を凹部７にセットされているベース板２前方へ突出させる押さえ姿勢とすることで、ベース板２の背板６への取り付けを行うことができる。一方、ベース板２を取り外す際には、取付具３を回転させて、押さえ部３１、３２がベース板２前方に突出しないようにすればよい。このように、取付具３の回転操作のみによって、ベース板２の取り付けや取り外しを行うことができるため、ベース板２の取り付け・取り外し作業の簡易化を図ることができ、使い勝手が良い。
【００１７】
さらに、取付具３に、複数の凸条体２７、２７・・を有するクリック板２２を設ける一方、挿通孔９には該凸条体２７が接触する突片１０ａ、１０ｂ・・を設けており、凸条体２７、２７・・と突片１０ａ、１０ｂ・・との弾性的な接触によりクリック作用を生じさせて取付具３の回転に抵抗を与え、取付具３の自由な回転を抑制するようになっている。したがって、ベース板２の取付状態において、取付具３が押さえ姿勢から不用意に回転してしまい、ベース板２が脱落してしまうといった事態の発生を防止することができる。
【００１８】
さらにまた、挿通孔９に他の突片１０ｂ、１０ｂ・・よりも周方向で長い突片１０ａを設けるとともに、抜け止め板２１にも他の切り欠き２５ｂ、２５ｂ・・よりも周方向で長い切り欠き２５ａを設けており、突片１０ａに対しては切り欠き２５ａのみが対応するようにしている。したがって、取付具３を背板６に取り付ける際の姿勢以外で、取付具３が脱落してしまうことがなく、不用意な取付具３の脱落を効果的に防止することができる。
またさらに、取付具３を背板６に取り付ける際の姿勢を、押さえ姿勢とは異ならせているため、ベース板２の取付状態における（押さえ姿勢にある）取付具３の脱落を確実に防止することができ、ベース板２の確実な取り付けといった効果における信頼性が高い。
【００１９】
また、背板６にベース板２と略同じ左右幅を有し、ベース板２を嵌め込みセット可能な凹部７を設けるとともに、該凹部７内に当接段部８、８を設けており、ベース板２のセット状態において、背板６の左右両側部とベース板２表面とが面一となるようにしている。したがって、ベース板２の左右方向への移動を効果的に抑制することができ、取り付け状態におけるベース板２の安定性の向上を図ることができる上、取付具３に高さ調節のための機構等を設ける必要がなく、取付具３の構成の簡易化を図ることができ、ひいてはコスト低下にもなる。
加えて、背板６に施すベース板２の取付構造にかかる加工としては、挿通孔９、９・・や凹部７を設ける加工でよく、従来の如き複数の取付金具の溶接を行わなければならないようなものと比較して、容易に背板６を製造することができ、製造コストの低下を図ることができる。
【００２０】
なお、本発明のベース板の取付構造に係る構成は、上記実施の形態に記載した態様に何ら限定されるものではなく、背板や取付具等に係る構成を、本発明の趣旨を逸脱しない範囲で、必要に応じて適宜変更することができる。
【００２１】
たとえば、取付具における押さえ板に係る構成を、上記実施形態では台形状としているが該構成・形状に何ら限定されることはなく、一又は複数の押さえ片を放射方向へ突出したような押さえ板とすることも可能である。
また、複数の取付具を同期させて回転可能とするような連結手段を設けて、操作の一層の容易化を図るようにしてもよい。
【００２２】
さらに、上記実施形態では、一の突片のみを、他の突片とは異なる形状（長さの違い）に形成するようにしているが、全ての突片の形状を異ならせるようにしても何ら問題はない。
加えて、上記実施形態では取付具を別体成形しているが、背板に一体的に設けるようにしても何ら問題はない。
【図面の簡単な説明】
【００２３】
【図１】ベース板を取り付けた状態における電気機器収納用箱体の本体を示した斜視説明図である。
【図２】ベース板を取り外した状態にある本体の斜視説明図である。
【図３】（ａ）は、本体にベース板を取り付けるための取付具を示した分解斜視図であり、（ｂ）は、組み立て状態にある取付具を示した斜視説明図である。
【図４】取付具を用いてベース板を取り付ける様子を示した説明図である。
【図５】従来のベース板の取付構造について示した説明図である。
【符号の説明】
【００２４】
１・・本体、２・・ベース板、３・・取付具、４・・天板、５・・底板、６・・背板、７・・凹部、８・・当接段部、９・・挿通孔、１０ａ、１０ｂ・・突片、２１・・抜け止め板、２２・・クリック板、２３・・押さえ板、２５ａ、２５ｂ・・切り欠き、２７・・凸条体、３１、３２・・押さえ部。
【図１】
2008011603.tif 000003
【図２】
2008011603.tif 000004
【図３】
2008011603.tif 000005
【図４】
2008011603.tif 000006
【図５】
2008011603.tif 000007